(57)【要約】【課題】それぞれ種類（坪量）の異なるティッシュペーパーを収容するティッシュボックスをまとめて包装し、かつ各ティッシュボックスの種類が異なることを見分け易くしたティッシュボックス包装体を提供する。【解決手段】ティッシュボックス包装体１０は、所定坪量の標準ティッシュペーパーを収容する標準ティッシュボックス１と、標準ティッシュペーパーより坪量が高い高坪量ティッシュペーパーを収容し、標準ティッシュボックスと縦Ｌ横Ｔ寸法が同一で、かつ標準ティッシュボックスと高さが異なる異高ティッシュボックス３と、を縦横を揃えつつ、高さｈ１、ｈ３方向に積層して包装してなる。【選択図】図１
2012111552.tif 000002
【特許請求の範囲】
【請求項１】
所定坪量の標準ティッシュペーパーを収容する標準ティッシュボックスと、
前記標準ティッシュペーパーより坪量が高い高坪量ティッシュペーパーを収容し、前記標準ティッシュボックスと縦横寸法が同一で、かつ前記標準ティッシュボックスと高さが異なる異高ティッシュボックスと、
を縦横を揃えつつ、高さ方向に積層して包装してなるティッシュボックス包装体。
【請求項２】
前記異高ティッシュボックスの高さは、前記標準ティッシュボックスの高さの１．２〜１．７倍であるか、又は０．８５倍以下である請求項１記載のティッシュボックス包装体。
【請求項３】
前記標準ティッシュペーパーの坪量が１２±１．５g/m2である請求項１又は２記載のティッシュボックス包装体。
【請求項４】
前記高坪量ティッシュペーパーは、坪量１５±１．５g/m2の化粧落とし用ティッシュペーパー、及び／又は坪量１７±１．５g/m2で水分が１０±２％のティッシュペーパーである請求項１〜３のいずれかに記載のティッシュボックス包装体。
【発明の詳細な説明】
【技術分野】
【０００１】
この発明は、複数個のティッシュボックスを積層して包装したティッシュボックス包装体に関する。
【背景技術】
【０００２】
従来から、複数個のティッシュボックスを積層して包装したティッシュボックス包装体(マルチパック)が店頭販売されている。特に、ティッシュボックスの5個パックは、ティッシュボックスのバラ売りに比べて割安な価格設定がされており、販売数量も多い。
そして、これらマルチパックの店頭陳列時に消費者の目を引くよう、各ティッシュボックスに絵柄の分割像を印刷し、各ティッシュボックスを積層したときに全体像となる絵柄を大きく表示させ、商品をアピールする技術が開発されている（特許文献１参照）。
【０００３】
一方、ティッシュボックスに収納されるティッシュペーパー（フェイシャルティシュ）は鼻かみ、化粧落とし、汚れの拭きとりなど多様な用途に使用され、これら用途にそれぞれ特化した特性をティッシュペーパーに付与する場合も多い。例えば、花粉症患者が頻繁に鼻かみする際に皮膚が荒れないよう、柔軟成分を含む薬液を塗布したローションティシュを箱詰したティッシュボックスが販売されている。又、女性の化粧時に鏡台に配置し易いよう、柔らかさと強度を両立させた化粧落としティッシュを小型のボックスに箱詰したティッシュボックスも販売されている。
これらのローションティシュや化粧落としティッシュは、汎用品である標準的なティッシュペーパーより坪量が高いという特徴がある。
【先行技術文献】
【特許文献】
【０００４】
【特許文献１】特開2006-69637号公報
【発明の概要】
【発明が解決しようとする課題】
【０００５】
しかしながら、従来のティッシュボックス包装体は、同一種類のティッシュボックスをパックしたものに過ぎないため、例えば、上記したローションティシュと化粧落としティッシュのボックスをまとめて購入したい場合、各種類のティッシュボックスを１個ずつ購入するか、各種類のティッシュボックス包装体を購入しなければならず、消費者にとっての利便性が良いとはいえなかった。
又、販売者にとっても、それぞれ種類の異なるマルチパックを並列すると余分な販売スペースが必要となるという問題がある。
【０００６】
従って本発明は、それぞれ種類（坪量）の異なるティッシュペーパーを収容するティッシュボックスをまとめて包装し、かつ各ティッシュボックスの種類が異なることを見分け易くしたティッシュボックス包装体の提供を目的とする。
【課題を解決するための手段】
【０００７】
上記課題を解決するため、本発明のティッシュボックス包装体は、所定坪量の標準ティッシュペーパーを収容する標準ティッシュボックスと、前記標準ティッシュペーパーより坪量が高い高坪量ティッシュペーパーを収容し、前記標準ティッシュボックスと縦横寸法が同一で、かつ前記標準ティッシュボックスと高さが異なる異高ティッシュボックスと、を縦横を揃えつつ、高さ方向に積層して包装してなる。
このような構成とすると、ティッシュボックスを高さ方向に積層したとき、縦及び横が揃うので既存の包装設備にて一体に包装することができ、さらに各ティッシュボックスの高さのみが異なるため、各ティッシュボックスの種類が異なることを見分け易くなる。又、高さの異なるティッシュボックスを組み合わせ包装することにより、店頭陳列時のアピール性が高まると共に、汎用品である標準ティッシュボックスにサンプルパックとして異高ティッシュボックスを付加して消費者に使い比べを促すことで新商品の認知度向上が図られる。
【０００８】
前記異高ティッシュボックスの高さは、前記標準ティッシュボックスの高さの１．２〜１．７倍であるか、又は０．８５倍以下であると好ましい。
このような構成とすると、両ティッシュボックスの区別が容易となる。又、両ティッシュボックスの高さの差が上記範囲内であれば、それぞれ坪量の異なるティッシュペーパーを収容する両ティッシュボックス間で、ティッシュペーパーの収容数（シート組数）が大きく異なることが無く、一方のティッシュボックスを早く使い切る不具合がない。
【０００９】
前記標準ティッシュペーパーの坪量が１２±１．５g/m2であると好ましい。
前記高坪量ティッシュペーパーは、坪量１５±１．５g/m2の化粧落とし用ティッシュペーパー、及び／又は坪量１７±１．５g/m2で水分が１０±２％のティッシュペーパーであると好ましい。
【発明の効果】
【００１０】
この発明によれば、それぞれ種類（坪量）の異なるティッシュペーパーを収容するティッシュボックスをまとめて包装し、かつ各ティッシュボックスの種類が異なることを見分け易くしたティッシュボックス包装体が得られる。
【図面の簡単な説明】
【００１１】
【図１】本発明の第１の実施形態に係るティッシュボックス包装体の外観を示す斜視図である。
【図２】本発明の第２の実施形態に係るティッシュボックス包装体の外観を示す斜視図である。
【図３】本発明の第３の実施形態に係るティッシュボックス包装体の外観を示す斜視図である。
【図４】ティッシュボックス包装０を多数並べて販売する態様を示す図である。
【発明を実施するための形態】
【００１２】
以下、本発明の実施形態に係るティッシュボックス包装体について説明する。
図１は、本発明の第１の実施形態に係るティッシュボックス包装体１０の外観を示す斜視図である。ティッシュボックス包装体１０は、標準ティッシュペーパーを収容する４個の標準ティッシュボックス１と、標準ティッシュペーパーより坪量が高い化粧落とし用ティッシュを収容する１個の化粧落とし用ティッシュボックス３とを、縦Ｌ及び横Ｔを揃えつつ、高さ方向に積層し、シュリンクフィルム包装等により包装（パック）してなり、図示しない持ち手等を備えている。ティッシュボックス包装体１０は、通常、ティッシュボックスを２〜５個程度積層して得ることができる。
標準ティッシュボックス１は、坪量１２±１．５g/m2である標準ティッシュペーパーをポップアップ式に収容しており、この標準ティッシュペーパーはいわゆる汎用品として、柔らかさ、強さ、吸水量が通常の特性を有するティッシュペーパーである（後述の表１参照）。
一方、化粧落とし用ティッシュボックス３は、坪量１５±１．５g/m2の化粧落とし用ティッシュペーパーをポップアップ式に収容しており、この化粧落とし用ティッシュペーパー（高坪量ティッシュペーパー）は、化粧落としが容易となるよう、柔らかさと強度を両立した特性を有するティッシュペーパーである（後述の表１参照）。
【００１３】
標準ティッシュボックス１と化粧落とし用ティッシュボックス３とは、縦Ｌ及び横Ｔの寸法がそれぞれ同一であるが、高さｈ１、ｈ３がそれぞれ異なっていて、化粧落とし用ティッシュボックス３が特許請求の範囲の「異高ティッシュボックス」に相当している。
従って、各ティッシュボックス１、３を高さ方向に積層すると、縦Ｌ及び横Ｔが揃うので既存の包装設備にて一体に包装することができ、さらに各ティッシュボックス１、３の高さのみが異なるため、各ティッシュボックスの種類が異なることを見分け易くなる。又、高さの異なるティッシュボックスを組み合わせ包装することにより、店頭陳列時のアピール性が高まると共に、汎用品である標準ティッシュボックスにサンプルパックとして異高ティッシュボックスを付加して消費者に使い比べを促すことで新商品の認知度向上が図られる。
【００１４】
このようなことから、化粧落とし用ティッシュボックス３の高さｈ３は、標準ティッシュボックス１の高さｈ１の１．２〜１．７倍であるか、又は０．８５倍以下、０．７０以上であると、両ティッシュボックス１、３の区別が容易となるので好ましい。又、両ティッシュボックス１、３の高さの差が上記範囲内であれば、それぞれ坪量の異なるティッシュペーパーを収容する両ティッシュボックス１、３間で、ティッシュペーパーの収容数（シート組数）が大きく異なることが無く、一方のティッシュボックスを早く使い切る不具合がない。各ティッシュボックスのティッシュペーパーの収容数（シート組数）の差は、±２０％の範囲内であれば好ましい。
なお、各ティッシュボックス１、３の縦Ｌ又は横Ｔの寸法が同一とは、製造上の誤差も考慮して、両ティッシュボックス１、３の縦Ｌ又は横Ｔの寸法差が±２％の範囲内であればよい。
【００１５】
図２は、本発明の第２の実施形態に係るティッシュボックス包装体２０の外観を示す斜視図である。ティッシュボックス包装体２０は、２個の標準ティッシュボックス１と、標準ティッシュペーパーより坪量が高い鼻かみ用のローションティッシュを収容する３個のローションティッシュボックス５とを、縦及び横を揃えつつ、高さ方向に交互に積層し、シュリンクフィルム包装等により包装（パック）してなり、図示しない持ち手等を備えている。
ローションティッシュボックス５は、坪量１７±１．５g/m2で水分が１０±２％のローションティッシュペーパーをポップアップ式に収容しており、このローションティッシュペーパー（高坪量ティッシュペーパー）は、花粉症患者等の鼻かみが容易となるよう、柔らかさと吸水性に優れた特性を有するティッシュペーパーである（後述の表１参照）。
【００１６】
第１の実施形態と同様、標準ティッシュボックス１とローションティッシュボックス５とは、縦Ｌ及び横Ｔの寸法がそれぞれ同一であるが、高さｈ１、ｈ５がそれぞれ異なっていて、ローションティッシュボックス５が特許請求の範囲の「異高ティッシュボックス」に相当している。
従って、各ティッシュボックス１、５を高さ方向に積層して包装すると、縦Ｌ及び横Ｔが揃うので一体に包装することができ、さらに各ティッシュボックス１、５の高さのみが異なるため、各ティッシュボックスの種類が異なることを見分け易くなる。
なお、ローションティッシュボックス５の高さｈ５についても、標準ティッシュボックス１の高さｈ１の１．２〜１．７倍であるか、又は０．８５倍以下であることが好ましい。ここで、ローションティッシュペーパーは水分が多く、標準ティッシュペーパーに比べて嵩が低いので、シート組数が同一であっても標準ティッシュペーパーよりシート高さが低くなる傾向にある。従って、この場合には、高さｈ５をｈ１の０．８５倍以下で、０．７０以上とするとよい。
【００１７】
図３は、本発明の第３の実施形態に係るティッシュボックス包装体３０の外観を示す斜視図である。ティッシュボックス包装体３０は、標準ティッシュボックス１と、化粧落とし用ティッシュボックス３と、ローションティッシュボックス５とを、縦及び横を揃えつつ、高さ方向に１個ずつ積層し、シュリンクフィルム包装等により包装（パック）してなり、図示しない持ち手等を備えている。
第１の実施形態と同様、各ティッシュボックス１、３、５を高さ方向に積層して包装すると、縦Ｌ及び横Ｔが揃うので一体に包装することができ、さらに各ティッシュボックス１、３、５の高さのみが異なるため、各ティッシュボックスの種類が異なることを見分け易くなる。
【００１８】
なお、各ティッシュボックス１、３、５の高さの他、材質や図柄等を変更してもよく、これにより、各ティッシュボックス１、３、５の見かけや手触り等が異なり、消費者が容易に区別することができる。
又、図１に示すように、各ティッシュボックス１，３を覆う包装物（フィルム等）の表面に、各ティッシュボックス１、３の商品情報１１、１３を大きく表示すれば、各ティッシュボックス１，３の識別がさらに容易になる。商品情報１１は例えば、標準ティッシュボックス１の商品名や特徴の説明であり、商品情報１３は例えば、化粧落とし用ティッシュボックス３の商品名や特徴の説明である。又、第１の実施形態の場合、ティッシュボックス１を複数個（この例では４個）まとめて積層しているため、ティッシュボックス１を他のティッシュボックス５と交互に積層する第２の実施形態に比べ、ティッシュボックス１の積層面（商品情報１１の表示面に対応）が広くなっている。従って、この広い積層面に商品情報１１を表示すれば、ティッシュボックス包装体１０内でのティッシュボックス１の割合（全体の４／５）が容易に把握できるという利点がある。つまり、同一種類のティッシュボックスをまとめて積層し、その積層面に商品情報を表示させることで、各ティッシュボックスの組み合わせ割合や、組み合わせの種類が容易に把握できる。
【００１９】
表１は、標準ティッシュペーパー及び高坪量ティッシュペーパー（化粧落とし用ティッシュペーパー、ローションティッシュペーパー）の特性、及びこれらを収容する標準ティッシュボックス及び異高ティッシュボックス（化粧落とし用ティッシュボックス、ローションティッシュボックス）の寸法の一例を示す。
なお、表１において、標準ティッシュボックスの高さが５０±１０ｍｍで、化粧落とし用ティッシュボックスの高さが６０±１０ｍｍとは、両ティッシュボックスの高さが同一になることを意味しない。例えば、標準ティッシュボックスの高さが５０ｍｍの場合、化粧落とし用ティッシュボックスの高さは５０ｍｍを超えて６０ｍｍ以下の特定の値となる。坪量についても同様である。
表１において、縦及び横の引張強度は、JIS-P8113に基づき、試験片幅25mｍ幅にて測定した。総合強度は次式：総合強度=（縦引張強度×横引張強度）1/2にて算出した。
ハンドフィールは、複数のパネラーの官能により、以下の１~5の５段階評価を行う、その平均とした。
１(硬い)  ２、（やや硬い）、３（普通）、4(やや柔らかい)、５(かなり柔らかい)
保湿感：標準状態（ＪＩＳ Ｐ８１１１）におけるティシュ中の水分量をＪＩＳ Ｐ8127に準拠して測定した。
【００２０】
【表１】
2012111552.tif 000003
【００２１】
図４は、第１の実施形態に係るティッシュボックス包装体１０を多数並べて販売する態様を示す。各ティッシュボックス包装体１０には種類の異なるティッシュボックスが組み合わされており、それぞれ種類の異なるティッシュボックスのマルチパックを別個に並列する必要がなく、余分な販売スペースが不要となる。
【００２２】
本発明は上記した実施形態に限定されず、本発明の思想と範囲に含まれる様々な変形及び均等物に及ぶことはいうまでもない。
【符号の説明】
【００２３】
１                標準ティッシュボックス
３，５            異高ティッシュボックス
１０〜３０        ティッシュボックス包装体
１１、１３        商品情報
Ｌ                ティッシュボックスの縦
Ｔ                ティッシュボックスの横
ｈ１、ｈ３、ｈ５    ティッシュボックスの高さ
【図１】
2012111552.tif 000004
【図２】
2012111552.tif 000005
【図３】
2012111552.tif 000006
【図４】
2012111552.tif 000007